(57)【要約】【課題】停電時に２次電池でランプを点灯させる照明装置において、瞬時停電が起こりやすい場所や、容易に点検スイッチを押せる場所においても、確実に点検を行えるようにする。【解決手段】停電時に２次電池１からの電力供給でランプ２を点灯させる点灯手段と、この点灯手段により所定の点検時間以上強制的にランプ２を点灯させて２次電池１の点検を行う点検手段と、２次電池１の充電状態を含む複数の動作状態を常時監視する監視手段と、２次電池１の充電時間と放電時間の少なくとも一方をカウントするカウント手段を有する照明装置において、カウント手段が充電時間カウント中に停電が発生した時、停電が短時間であればカウント値を初期化せず、復電後の充電時間カウントを停電発生直前の状態から継続するようにした。【選択図】図１
2005174612.tif 000002
【特許請求の範囲】
【請求項１】
光源となるランプと、ランプに電力供給する２次電池と、外部の常用電源から電力供給を受けて２次電池を充電し所定の時間充電された時に点検可能となるような充電手段と、少なくとも常用電源が停電したときに２次電池からの電力供給でランプを点灯させる点灯手段と、充電手段による２次電池の充電の有無を検出する充電検出部と、２次電池の電圧を検出する電圧検出部と、点灯手段により所定の点検時間以上強制的にランプを点灯させて２次電池の点検を行う点検手段と、少なくとも２次電池の充電状態を含む１乃至複数の動作状態を常時監視する監視手段と、常用電源が停電後に復電してからの充電時間と常用電源が通電後に停電してからの放電時間との少なくとも一方の時間をカウントするカウント手段を有する照明装置において、前記カウント手段が充電時間カウント中に常用電源の停電が発生した時、停電が短時間であればカウント値を初期化せず、復電後の充電時間カウントを停電発生直前の状態から継続することを特徴とする照明装置。
【請求項２】
光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、充電手段による２次電池の充電の有無を検出する充電検出部と、２次電池の電圧を検出する電圧検出部と、点灯手段により所定の点検時間以上強制的にランプを点灯させて２次電池の点検を行う点検手段と、少なくとも２次電池の充電状態を含む１乃至複数の動作状態を常時監視する監視手段と、常用電源が停電後に復電してからの充電時間と常用電源が通電後に停電してからの放電時間との少なくとも一方の時間をカウントするカウント手段を有する照明装置において、前記カウント手段が充電時間カウント中に常用電源が停電した時、充電時間カウント値に応じて前記２次電池の点検時間を可変させることを特徴とする照明装置。
【請求項３】
光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、充電手段による２次電池の充電の有無を検出する充電検出部と、２次電池の電圧を検出する電圧検出部と、点灯手段により所定の点検時間以上強制的にランプを点灯させて２次電池の点検を行う点検手段と、少なくとも２次電池の充電状態を含む１乃至複数の動作状態を常時監視する監視手段と、常用電源が停電後に復電してからの充電時間と常用電源が通電後に停電してからの放電時間との少なくとも一方の時間をカウントするカウント手段を有する照明装置において、前記カウント手段が所定充電時間経過した状態からの放電時間カウント中に常用電源が復電した時、放電時間カウント値に応じて、２次電池を再び所定充電時間経過した状態と同等の電気量にするために必要な復電後の補充電時間を可変させることを特徴とする照明装置。
【請求項４】
光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、充電手段による２次電池の充電の有無を検出する充電検出部と、２次電池の電圧を検出する電圧検出部と、点灯手段により所定の点検時間以上強制的にランプを点灯させて２次電池の点検を行う点検手段と、少なくとも２次電池の充電状態を含む１乃至複数の動作状態を常時監視する監視手段と、常用電源が停電後に復電してからの充電時間と常用電源が通電後に停電してからの放電時間との少なくとも一方の時間をカウントするカウント手段を有する照明装置において、前記カウント手段が充電時間カウント中に常用電源が停電した時、充電時間カウント値と放電時間カウント値から、２次電池を所定充電時間経過した状態と同等の電気量にするために必要な復電後の補充電時間を可変させることを特徴とする照明装置。
【請求項５】
光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、充電手段による２次電池の充電の有無を検出する充電検出部と、２次電池の電圧を検出する電圧検出部と、点灯手段により所定の点検時間以上強制的にランプを点灯させて２次電池の点検を行う点検手段と、少なくとも２次電池の充電状態を含む１乃至複数の動作状態を常時監視する監視手段と、常用電源が停電後に復電してからの充電時間と常用電源が通電後に停電してからの放電時間との少なくとも一方の時間をカウントするカウント手段を有する照明装置において、前記カウント手段が所定充電時間経過した状態からの放電時間カウント中に常用電源が復電した時、放電時間カウント値と充電時間カウント値から、２次電池の点検時間を可変させることを特徴とする照明装置。
【請求項６】
光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、充電手段による２次電池の充電の有無を検出する充電検出部と、２次電池の電圧を検出する電圧検出部と、点灯手段により所定の点検時間以上強制的にランプを点灯させて２次電池の点検を行う点検手段と、少なくとも２次電池の充電状態を含む１乃至複数の動作状態を常時監視する監視手段と、常用電源が停電後に復電してからの充電時間と常用電源が通電後に停電してからの放電時間との少なくとも一方の時間をカウントするカウント手段を有する照明装置において、前記カウント手段は充電時間と放電時間をカウントして２次電池の充電電気量と定格容量との差を算出し、充電時間カウント中であれば２次電池を所定充電時間経過した状態と同等の電気量にするために必要な補充電時間を、放電時間カウント中であれば２次電池の点検時間を可変させることを特徴とする照明装置。
【請求項７】
請求項１乃至６のいずれかに記載された複数の照明装置と、各照明装置との間でデータの授受を行う制御装置とを備え、制御装置は、照明装置の点検結果又は監視結果のデータを取得して保存し、保存した点検結果又は監視結果の履歴に基づいて照明装置における異常の有無を判断することを特徴とする照明システム。
【発明の詳細な説明】
【技術分野】
【０００１】
本発明は、誘導灯や非常灯のように、常用の電源が停電したときに２次電池などの非常用の電源でランプを点灯させ、特に点検機能を持つ照明装置に関するものである。
【背景技術】
【０００２】
誘導灯や非常灯の点検は、消防庁告示、建築基準法等で義務付けされているが、規定では誘導灯が２０分間又は６０分間、非常灯の場合は３０分間、ランプを有効に２次電池で非常点灯させなければいけない。従って、通常点検者は、このように長時間点灯させ続けるために、点検スイッチの引き輪に重りをぶら下げるなどして、上記規定時間内にランプが有効に非常点灯可能か否かを見て廻る必要があり、非常に手間のかかる作業であった。
【０００３】
そこで、点検作業の省力化を図るために点検作業を自動化する方法が、特願２００２−２７９７６０に開示されている。上述される開示例における照明装置では、正確な点検を行うために、満充電されていない状態で２次電池の点検が行われないよう、常用電源の通電時間が所定充電時間（誘導灯では２４時間、非常灯では４８時間）に達するまでは点検を開始しないことを特徴としている。
【０００４】
なお、特許文献１には、点検者が短時間だけ点検スイッチをオンすれば、点検シーケンス手段によって所定の点検作業が実行され、２次電池に異常があれば表示手段で表示することで２次電池の点検作業の自動化、省力化を図った照明装置が提案されている。
【特許文献１】特開平８−１８５９８７号公報
【発明の開示】
【発明が解決しようとする課題】
【０００５】
特願２００２−２７９７６０では、満充電されていない状態で２次電池の点検が行われるのを防ぐことが出来るが、所定充電時間（２次電池が規定時間放電による点検を行うのに必要な電気量を充電する時間）に到達する前に短時間の停電（例えば瞬時停電や、点検スイッチやブレーカー等の誤操作）が発生すると、復電してから再び所定充電時間経過しなければ、点検可能な状態にならない。また、所定充電時間に到達して点検可能な状態で短時間の停電が発生しても、復電してから所定時間充電しないと点検可能な状態にならないという課題がある。
【０００６】
本発明は、このような点に鑑みてなされたものであり、その目的とするところは、瞬時停電が起こりやすい場所や、容易に点検スイッチを押せる場所においても、確実に点検を行えるようにすることにある。
【課題を解決するための手段】
【０００７】
本発明にあっては、上記の課題を解決するために、図１に示すように、光源となるランプ２と、ランプ２に電力供給する２次電池１と、外部の常用電源ＡＣから電力供給を受けて２次電池１を充電し所定の時間充電された時に点検可能となるような充電手段（電源回路部４及び充電部５）と、少なくとも常用電源ＡＣが停電したときに２次電池１からの電力供給でランプ２を点灯させる点灯手段（スイッチ素子Ｑ及び点灯回路部６）と、充電手段による２次電池１の充電の有無を検出する充電検出部８と、２次電池１の電圧を検出する電圧検出部９と、点灯手段により所定の点検時間以上強制的にランプ２を点灯させて２次電池１の点検を行う点検手段（制御部７の点検機能）と、少なくとも２次電池１の充電状態を含む１乃至複数の動作状態を常時監視する監視手段（制御部７の監視機能）と、常用電源ＡＣが停電後に復電してからの充電時間と常用電源ＡＣが通電後に停電してからの放電時間との少なくとも一方の時間をカウントするカウント手段（制御部７のタイマー機能）を有する照明装置において、図２に示すように、前記カウント手段が充電時間カウント中に常用電源ＡＣの停電が発生した時、停電が短時間であればカウント値を初期化せず、復電後の充電時間カウントを停電発生直前の状態から継続することを特徴とするものである。
【発明の効果】
【０００８】
請求項１の発明によれば、所定充電時間到達前に短時間の停電が起こっても、充電時間を継続してカウントするので、再び初期値から所定充電時間経過するのを待たなくても点検が出来るようになる。また、所定充電時間到達後に短時間の停電が起こった場合は、点検可能な状態を継続出来る。
請求項２の発明によれば、所定充電時間経過していない状態でも、その時点での充電時間に応じて判定時間を変えることによって、充電状態であれば常に点検可能な状態となり、２次電池の充放電効率の劣化などを早期に検出することができる。
請求項３の発明によれば、所定充電時間経過した状態から停電すると、放電時間に応じて補充電時間を設定するので、復電後に点検可能状態になる迄の時間を短縮することが出来る。
【０００９】
請求項４の発明によれば、停電になるまでの充電時間と放電した時間によって補充電時間を設定するので、所定充電時間経過してない状態で停電しても、復電後に点検可能状態になる迄の時間を短縮することが出来る。
請求項５の発明によれば、所定充電時間経過した状態から停電によって放電した時間と、復電してからの充電時間によって判定時間を変化させることで、所定充電時間経過した状態を基準としているので、請求項２よりも判定精度を向上させることができ、容量低下を早期に検出することができる。
請求項６の発明によれば、充電時間と放電時間から充電電気量と放電電気量を求め、補充電時間と判定時間を常に算出することで、常に点検可能な状態とすることができ、かつ２次電池の判定精度を向上させることができる。
【発明を実施するための最良の形態】
【００１０】
（実施形態１）
本実施形態の照明装置は、図１に示すように、非常用電源となる２次電池１と、白熱ランプや放電ランプなどからなるランプ２と、常用電源（商用電源ＡＣ）に接続された給電経路を開閉する点検スイッチ３と、点検スイッチ３を介して給電経路に接続され、商用電源ＡＣから供給される交流を降圧し安定化して所望の直流を得る電源回路部４と、電源回路部４から出力される直流電力で２次電池１を充電する充電部５と、２次電池１からの電力供給でランプ２を点灯させる点灯回路部６と、２次電池１から点灯回路部６への給電路を開閉するスイッチ素子Ｑと、商用電源ＡＣの停電、復電を検出してスイッチ素子Ｑをオン、オフするとともに２次電池１やランプ２などの異常を検出する制御部７と、異常検出を報知するための表示灯１３とを備え、常時は商用電源ＡＣから電力供給を受けて２次電池１を充電し、商用電源ＡＣの停電時に２次電池１からの電力供給で非常灯であるランプ２を点灯するものである。
【００１１】
制御部７はタイマ機能を内蔵したマイクロコンピュータを主構成要素とし、充電部５から２次電池１へ流れる充電電流の有無を検出する充電検出部８と、２次電池１の電圧（以下、「電池電圧」という）を検出する電圧検出部９と、点灯回路部６からランプ２に流れる電流（ランプ電流）を計測してランプ２の点灯、不点灯を検出する点灯検出部１０と、各検出部８，９，１０の検出結果から２次電池１やランプ２の異常を総合的に判断する判断部１１と、ＥＥＰＲＯＭ等の不揮発性メモリからなる記憶部１２とを具備している。また、制御部７は点灯回路部６により所定の点検時間以上強制的にランプ２を点灯させて２次電池１の点検を行う点検機能と、２次電池１の充電状態を常時監視する監視機能とを有している。すなわち、本実施形態では制御部７で点検手段並びに監視手段を構成し、判断部１１で異常検出手段を構成している。なお、表示灯１３は発光ダイオードからなり、判断部１１により駆動されて発光する。
【００１２】
商用電源ＡＣから電力供給を受けているとき（常時）には、充電部５により２次電池１が充電されるとともに、制御部７によりスイッチ素子Ｑがオフされてランプ２を消灯させているが、停電により商用電源ＡＣからの電力供給が停止したとき（非常時）には、充電検出部８にて充電電流が検出されなくなることで停電が検知され、制御部７によりスイッチ素子Ｑがオンされて２次電池１から点灯回路部６への電力供給が可能となってランプ２を点灯させるものである。そして、復電により商用電源ＡＣからの電力供給が再開されれば、充電検出部８にて充電電流が検出されることで復電が検知され、制御部７によりスイッチ素子Ｑがオフされて２次電池１から点灯回路部６への電力供給が停止してランプ２を消灯させる。
【００１３】
本実施形態における制御部の動作を図２のフローチャートを参照して説明する。本実施形態の特徴は、短時間（例えば３秒）の停電が発生した時には充電時間カウントを継続もしくは点検可能状態を維持することである。フローチャートの＃は処理ステップの番号を意味する。
【００１４】
制御部７は、充電検出部８によって充電電流の有無を検出し、２次電池１の充電時間をカウントしている（＃１０，＃２０）。商用電源ＡＣの停電を検出すると（＃３０）、復電してからの充電時間カウント値をＥＥＰＲＯＭ等の不揮発性メモリからなる記憶部１２に記憶させて（＃４０）、充電時間カウント値をリセットして（＃４１）、スイッチ素子Ｑをオンして２次電池１からの電源供給でランプ２を非常点灯させる（＃５０）。なお、停電時の制御部７の動作電源は２次電池１から供給する。
【００１５】
ここで、商用電源ＡＣが復電すると（＃６０）、停電した時間が短時間であるかを判断し（＃７０）、短時間であれば記憶部１２に記憶させた停電発生前の充電時間カウント値を読み出し（＃７１）、そこから継続して充電時間をカウントし、短時間でなければ復電した時点からの充電時間を初期値（＃４１でリセットした値）からカウントし直す。停電した時間が短時間であるかの判断については、図３に示すように、連続した停電時間（Ｔａ）が所定時間以内（例えば３秒以内）であるか否か、または累積停電時間（Ｔｂ１＋Ｔｂ２＋Ｔｂ３）が所定時間以内であるか否か、いずれの判定方法であっても良い。
【００１６】
制御部７は点検スイッチ３の状態を監視しており、商用電源ＡＣが停電していない常時において点検スイッチ３が操作されたことを検出すると、その時点までの充電時間が所定充電時間を超えているかを判断し、超えていればスイッチ素子Ｑをオンして点検処理を行い、超えていなければ点検処理を行わない（＃８０，＃９０）。
【００１７】
本実施形態では、図４に示すように、所定充電時間到達前に短時間の停電が起こっても、充電時間を継続してカウントするので、例えば瞬時停電や、点検スイッチやブレーカー等の誤操作による停電状態が起こった場合は再び初期値から所定の充電時間が経過するのを待たなくても点検が出来るようになる。また、所定充電時間到達後に短時間の停電が起こった場合も、点検可能な状態を継続出来る。
【００１８】
図５は本実施形態の一変形例の構成を示す。この構成例は、特願２００２−２７９７６０の実施形態７に記載されているように、複数の照明装置Ａｉ（ｉ＝１，２，…，ｎ）と、各照明装置との間で通信線Ｌを介してデータの授受を行う制御装置Ｂとで構成される非常灯あるいは誘導灯の照明システムである。この照明システムにおいても、点検要求のトリガーが点検スイッチ３からの信号に代えて、制御装置Ｂからの信号に変わるだけなので、同様の効果がある。
【００１９】
図５の照明装置は、点検スイッチ３及び表示灯１３を具備しない点と、通信線Ｌを介してデータの授受を行うための通信部１５並びに通信のためのアドレスを設定するアドレス設定部１６とを具備する点とを除けば、図１の照明装置と共通の構成を備えている。
【００２０】
アドレス設定部１６はディップスイッチなどで構成されており、各照明装置Ａｉ（ｉ＝１，２，…，ｎ）に固有のアドレスの他に複数の照明装置からなるグループを特定するためのグループ番号も設定可能であって、照明システムの施工時にアドレス設定が行われる。
【００２１】
制御装置Ｂは、通信線Ｌを介して照明装置Ａｉ（ｉ＝１，２，…，ｎ）との間でデータを授受する通信手段やマイクロコンピュータからなる制御手段、その他にＥＥＰＲＯＭなどからなる不揮発性のメモリ等を備えている。但し、このような制御装置Ｂは従来周知の技術で実現可能であるから詳細な構成については図示並びに説明を省略する。
【００２２】
本実施形態においては、制御装置Ｂが各照明装置Ａｉの固有アドレスｉを指定して定期的に（例えば、３箇月に１回）点検開始のコマンドデータを順次送信し、このコマンドデータを受信した照明装置Ａｉでは、制御部７が通信部１５で受信したコマンドデータを解釈して点検処理を開始し、スイッチ素子Ｑをオンして２次電池１からの電力供給でランプ２を点灯させ、個々の照明装置Ａｉ毎に制御装置Ｂからの指令で定期点検を行う。また、各照明装置Ａｉでは、３箇月に１回行われる定期点検とは別に２次電池１の状態を常時監視しており、判断部１１では定期点検の点検結果と監視結果を総合的に判断して２次電池１並びにランプ２の異常の有無を判断し、優先順位の高い結果を選択して制御装置Ｂに送信している。したがって、点検作業を行う者は各照明装置Ａｉの設置場所まで赴いて点検を行わなくても制御装置Ｂによってそれぞれの照明装置Ａｉの点検結果を把握することができて点検作業の省力化が図れるものである。
【００２３】
図６は実施形態１の他の変形例の構成を示す。この構成例は、特願２００２−２７９７６０の実施形態８に記載されているように、常時及び非常時ともにランプを点灯させるタイプの非常灯あるいは誘導灯として構成されている。すなわち、図６に示すように、電源回路部４の出力を充電部５だけでなく点灯回路部６にも入力し、常時においても商用電源ＡＣからの電力供給でランプ２を点灯させ、非常時には制御部７によりスイッチ素子Ｑをオンして２次電池１からの電力供給でランプ２を点灯させるものである。なお、本実施形態では常時においてもランプ２を点灯させるから、常時の監視項目（＃１０の常用状態処理）にランプ２の点灯、不点灯の検出も追加する必要がある。
また、これらの図５、図６の構成は以下に説明するいずれの実施形態においても同様に実施できる。
【００２４】
（実施形態２）
本実施形態における制御部の動作を図７のフローに示す。本実施形態の特徴は、２次電池の所定の充電時間が経過する前に停電が発生したときに、それまでの充電時間に応じて放電時の判定時間を変化させることにある。なお、本実施形態における照明装置の構成は実施形態１と同じであるから図示並びに説明は省略する。
【００２５】
特願２００２−２７９７６０では所定充電時間（例えば２４時間）が経過した後で点検可能状態となり、点検可能状態において点検要求があると、規定時間（例えば２０分間）放電し点検を行う（図８）。これに対して本実施形態では、所定充電時間が経過していなくても、点検要求があれば２次電池を放電させ、点検を行う。例えば、誘導灯において、充電時間が１８時間で点検要求が来ると、本来必要である充電時間の７５％しか経過していないので、例えば規定時間の７５％に相当する１５分間の放電によって判定を行う（図９）。なお、電池電圧と時間の関係を示すグラフにおいて、横軸の単位［ｈ］は時間、単位［ｍ］は分を意味する。以下の各実施形態においても同様である。
【００２６】
判定時間の算出法は、図１０に示すように、所定充電時間（満充電に要する充電時間）に対して充電時間が短くなれば、その分、判定時間を規定時間に対して短くする。図１０では、充電時間に比例して判定時間を変化させる例を示しているが、変化の度合いは比例関係に限定されるものではなく、例えば２次電池の充放電効率によって傾きや切片を変更したり、１次関数以外の計算式であっても構わない。これは、以下に説明する実施形態３〜５の図１４、図１７、図２０においても同様である。
【００２７】
本実施形態における制御部の動作を図７のフローチャートを参照して説明する。制御部は、常用状態処理において、充電検出部によって充電電流の有無を検出し、２次電池の充電時間をカウントしている（＃１０，＃２０）。ここで点検要求があれば（＃８０）、その時点までの充電時間をもとに制御部で判定時間を算出し（＃８５）、点検の判定時間を変えて、スイッチ素子Ｑをオンして点検処理を行う（＃９０）。
【００２８】
このように本実施形態では、所定充電時間経過していない状態でも、その時点での充電時間に応じて判定時間を変えることによって、充電状態であれば常に点検可能な状態となり、２次電池の充放電効率の劣化などを早期に検出することができる。
【００２９】
（実施形態３）
本実施形態における制御部の動作を図１１のフローに示す。本実施形態の特徴は、２次電池が所定充電時間経過した状態で停電が発生したとき、停電によって放電した時間に応じて、復電後の点検可能状態になるまでの充電時間を変化させることにある。なお、本実施形態における照明装置の構成も実施形態１と同じであるから、図示並びに説明は省略する。
【００３０】
特願２００２−２７９７６０では所定時間充電された状態から停電して復電すると、再び所定充電時間（例えば２４時間）経過しなくては、点検可能状態にならなかった（図１２）。これに対して本実施形態では、所定時間充電された状態（満充電状態）から停電して復電すると、放電時間から判断して、あとどれだけ充電すれば所定充電時間経過した状態と同等の電気量になるか（以下「補充電時間」とする）を算出し、その分だけ充電すれば点検可能状態になる。例えば誘導灯において、所定時間充電された状態から１５分間停電して復電すると、２次電池の放電による点検の規定時間２０分に対して７５％相当しか放電していないので、所定の充電時間の７５％である１８時間充電すれば点検可能状態となる（図１３）。補充電時間の算出方法は、規定時間に対して放電した時間（停電時間）が短ければその分補充電時間を所定時間に対して短くする（図１４）。
【００３１】
本実施形態における制御部の動作を図１１のフローチャートを参照して説明する。制御部は、常用状態処理において、充電検出部によって充電電流の有無を検出し、２次電池の充電時間をカウントしている（＃１０，＃２０）。ここで商用電源ＡＣが停電すると（＃３０）、所定時間充電されていたかを判断し（＃４２）、充電されていれば、放電時間をカウントして記憶部に保存する処理を開始し（＃４３）、スイッチ素子Ｑをオンして２次電池からの電源供給でランプを非常点灯させる（＃５０）。＃４２で所定時間充電されていなければ、放電時間カウントをせずに非常点灯させる。商用電源ＡＣが復電すると（＃６０）、放電時間カウント値を記憶部から読み出し、制御部で図１４の演算を行い、必要な補充電時間を算出する。補充電時間が経過すれば、点検可能状態となる。なお、放電時間カウントをせずに非常点灯させた場合は、放電時間＝規定時間（２０分間）とみなして、補充電時間＝所定時間（２４時間）とすれば良い。
【００３２】
このように本実施形態では、所定充電時間経過した状態から停電すると、放電時間に応じて補充電時間を設定するので、復電後に点検可能状態になる迄の時間を短縮することが出来る。
【００３３】
（実施形態４）
本実施形態における制御部の動作を図１５のフローに示す。本実施形態の特徴は、所定時間充電されてない状態で停電したとき、停電になるまでの充電時間と停電による放電時間に応じて、復電後の補充電時間を決めることにある。なお、本実施形態における照明装置の構成も実施形態１と同じであるから、図示並びに説明は省略する。
【００３４】
実施形態３では、放電時間のみから補充電時間を算出するため、所定時間充電されてない状態で停電すると補充電時間を算出できなかった。これに対して本実施形態では、所定時間充電されていない状態で停電しても補充電時間を算出できる。例えば誘導灯において、充電時間が１８時間で５分間停電すると、充電時間が所定充電時間２４時間に対して７５％、放電時間が規定時間２０分に対して２５％相当であるので、７５％−２５％＝５０％に相当する１２時間充電すれば点検可能状態となる（図１６）。補充電時間の算出法は、充電時間カウント値に基づいて算出される充電電気量から、放電時間カウント値に基づいて算出される放電電気量を差し引いて、補充電時間を決める。完全放電状態であれば補充電時間は所定時間となり、満充電状態に近いほど補充電時間は短くなる（図１７）。
【００３５】
本実施形態における制御部の動作を図１５のフローチャートを参照して説明する。制御部は、常用状態処理において、充電検出部によって充電電流の有無を検出し、２次電池の充電時間をカウントして記憶部に記憶している（＃１０，＃２１）。ここで商用電源ＡＣが停電すると（＃３０）、放電時間をカウントして記憶部に保存する処理を開始し（＃４３）、スイッチ素子Ｑをオンして２次電池からの電源供給でランプを非常点灯させる（＃５０）。商用電源ＡＣが復電すると（＃６０）、記憶部から充電時間カウント値と放電時間カウント値を読み出し、制御部で演算を行い補充電時間を算出する（＃７３）。補充電時間が経過すれば、点検可能状態となる。
【００３６】
このように本実施形態では、停電になるまでの充電時間と停電後に放電した時間によって補充電時間を設定するので、所定充電時間経過してない状態で停電しても、復電後に点検可能状態になる迄の時間を短縮することが出来る。
【００３７】
なお、実施形態３または４において、補充電時間が経過する前に、図１１または図１５の＃８０で点検スイッチの操作が検出されたときは、充電時間が所定充電時間を超えていないと判断し、点検処理を行わない。また、補充電時間の経過後に、＃８０で点検スイッチの操作が検出されたときは、充電時間が所定充電時間を超えていると判断し、点検処理を行う（＃９０）。
【００３８】
（実施形態５）
本実施形態における制御部の動作を図１８のフローに示す。本実施形態の特徴は、２次電池が所定充電時間経過した状態で停電が発生したのちに復電したとき、停電による放電時間と復電後の充電時間から、所定充電時間が経過する前に点検要求が来たときの判定時間を決めることにある。なお、本実施形態における照明装置の構成も実施形態１と同じであるから図示並びに説明は省略する。
【００３９】
実施形態２では、充電時間のみから判定時間を算出するため、例えば所定充電時間経過した状態で停電になり、その後復電した充電中に点検要求が来ると、２次電池の電気量が十分あるにも関わらず判定時間を短く設定してしまうことがある。これに対して本実施形態では、所定充電時間経過した状態で発生した放電時間もカウントするので、放電時間と充電時間を考慮して判定時間を算出できる。例えば誘導灯において、所定時間充電された状態から１０分間の停電があり、復電後６時間経過した状態で点検要求が来ると、放電時間が規定時間２０分に対して５０％相当、充電時間が所定充電時間２４時間に対して２５％であるので、規定時間に対して１００％−５０％＋２５％＝７５％に相当する１５分の放電によって判定を行う（図１９）。判定時間の算出法は、所定充電時間経過した状態からの放電時間のカウント値から、復電後の充電時間のカウント値を差し引いて、所定充電時間経過した状態であれば判定値は規定時間となり、完全放電状態に近いほど判定時間は短くなる（図２０）。
【００４０】
本実施形態における制御部の動作を図１８のフローチャートを参照して説明する。制御部は、常用状態処理において、充電検出部によって充電電流の有無を検出し、２次電池の充電時間をカウントして記憶部に保存している（＃１０，＃２１）。ここで商用電源ＡＣが停電すると（＃３０）、＃２１で保存された充電時間カウント値を読み出して、所定時間充電されていたかを判断し（＃４２）、充電されていれば、放電時間をカウントして記憶部に保存する処理を開始させ（＃４３）、スイッチ素子Ｑをオンして２次電池からの電源供給でランプを非常点灯させる（＃５０）。＃４２で所定時間充電されていないと判断されれば、放電時間はカウントをせずに非常点灯させる。商用電源ＡＣが復電すると（＃６０）、充電時間を初期値からカウントし直す。商用電源ＡＣが停電していない常時において点検要求があれば（＃８２）、記憶部からその時点までの充電時間カウント値と、放電時間カウント値を読み出して、制御部で点検の判定時間を算出し（＃８３）、スイッチ素子Ｑをオンして点検処理を行う（＃９０）。
【００４１】
このように本実施形態では、満充電状態から停電して放電した時間と、復電後に点検要求が来るまでの充電時間とに基づいて、判定時間を設定するので、点検不能な状態を少なくすることが出来る。また、所定充電時間経過した状態を基準としているので、実施形態２よりも判定精度を向上させることができ、容量低下を早期に検出することができる。
【００４２】
（実施形態６）
本実施形態における制御部の動作を図２１のフローに示す。本実施形態の特徴は、停電による放電時間と、復電してからの充電時間の組み合わせより、補充電時間及び判定時間を変えることである。なお、本実施形態における照明装置の構成も実施形態１と同じであるから図示並びに説明は省略する。
【００４３】
実施形態４および５では、充電時間と放電時間から補充電時間や判定時間を算出している。しかし、実施形態４では、補充電中に点検要求が来ると点検が行えない。また、実施形態５では、所定時間充電されてない状態で停電すると放電時間をカウントしないので、復電後の充電時間のみから判定時間を算出し、２次電池の電気量が十分あるにも関わらず判定時間を短く設定してしまうことがある。
【００４４】
これに対して本実施形態では、補充電中でも放電による判定の時間を変えて点検ができ、かつ所定時間充電されていない状態で停電しても放電時間をカウントする。例えば誘導灯において、１８時間充電された状態から１０分間の停電があると、実施形態４により７５％−５０％＝２５％となるので１８時間の補充電時間を設定する（図２２）。さらに補充電を開始してから、１２時間後に点検要求があると、実施形態５により２５％＋５０％＝７５％となるので１５分の放電によって点検を行う（図２３）。
【００４５】
本実施形態における制御部の動作を図２１のフローチャートを参照して説明する。制御部は、常用状態処理において、充電検出部によって充電電流の有無を検出し、２次電池の充電時間をカウントして記憶部に保存している（＃１０，＃２１）。ここで商用電源ＡＣが停電又は点検要求があると（＃３１）、記憶部から充電時間カウント値と前回の放電時間カウント値を読み出し、制御部で点検の判定時間を算出し（＃３３）、さらに放電時間をカウントして記憶部に保存する処理を開始させ（＃４３）、スイッチ素子Ｑをオンして、点検処理又は非常点灯処理を行う（＃５９）。復電すると（＃６０）、記憶部から充電時間カウント値と放電時間カウント値を読み出し、制御部で補充電時間を算出する（＃７３）。
【００４６】
このように本実施形態では、実施形態４、５を組み合わせることにより、常に点検可能な状態とすることができ、かつ２次電池の判定精度を向上させることができる。
【図面の簡単な説明】
【００４７】
【図１】本発明の実施形態１の構成を示すブロック回路図である。
【図２】本発明の実施形態１の動作を示すフローチャートである。
【図３】本発明の実施形態１における点検スイッチの操作有無の判定方法を示すタイムチャートである。
【図４】本発明の実施形態１の動作を示すタイムチャートである。
【図５】本発明の実施形態１の一変形例の構成を示すブロック回路図である。
【図６】本発明の実施形態１の他の変形例の構成を示すブロック回路図である。
【図７】本発明の実施形態２の動作を示すフローチャートである。
【図８】従来例における電池電圧の時間的変化を示す説明図である。
【図９】本発明の実施形態２における電池電圧の時間的変化を示す説明図である。
【図１０】本発明の実施形態２における充電時間と判定時間の関係を示す説明図である。
【図１１】本発明の実施形態３の動作を示すフローチャートである。
【図１２】従来例における電池電圧の時間的変化を示す説明図である。
【図１３】本発明の実施形態３における電池電圧の時間的変化を示す説明図である。
【図１４】本発明の実施形態３における停電時間と充電時間の関係を示す説明図である。
【図１５】本発明の実施形態４の動作を示すフローチャートである。
【図１６】本発明の実施形態４における電池電圧の時間的変化を示す説明図である。
【図１７】本発明の実施形態４における充電電気量と補充電時間の関係を示す説明図である。
【図１８】本発明の実施形態５の動作を示すフローチャートである。
【図１９】本発明の実施形態５における電池電圧の時間的変化を示す説明図である。
【図２０】本発明の実施形態５における放電電気量と判定時間の関係を示す説明図である。
【図２１】本発明の実施形態６の動作を示すフローチャートである。
【図２２】本発明の実施形態６における補充電時間の制御を示す説明図である。
【図２３】本発明の実施形態６における補充電中の判定時間の制御を示す説明図である。
【符号の説明】
【００４８】
１    ２次電池
２    ランプ
３    点検スイッチ
４    電源回路部
５    充電部
６    点灯回路部
７    制御部
８    充電検出部
９    電圧検出部
１０  点灯検出部
１１  判断部
１２  記憶部
１３  表示灯
【図１】
2005174612.tif 000003
【図２】
2005174612.tif 000004
【図３】
2005174612.tif 000005
【図４】
2005174612.tif 000006
【図５】
2005174612.tif 000007
【図６】
2005174612.tif 000008
【図７】
2005174612.tif 000009
【図８】
2005174612.tif 000010
【図９】
2005174612.tif 000011
【図１０】
2005174612.tif 000012
【図１１】
2005174612.tif 000013
【図１２】
2005174612.tif 000014
【図１３】
2005174612.tif 000015
【図１４】
2005174612.tif 000016
【図１５】
2005174612.tif 000017
【図１６】
2005174612.tif 000018
【図１７】
2005174612.tif 000019
【図１８】
2005174612.tif 000020
【図１９】
2005174612.tif 000021
【図２０】
2005174612.tif 000022
【図２１】
2005174612.tif 000023
【図２２】
2005174612.tif 000024
【図２３】
2005174612.tif 000025